(57)【要約】  弦楽器には、弦の音高を同時に可変する際に、多数の弦を相対的に調弦した状態に維持可能にする弦装着装置を含む。１実施例では、複合楽器用弦には多数のセグメントを備え、各セグメントは異なる密度を有するが、複合弦は、その長さ全体に亘り略同じ張力を維持する。張力を増減すると、楽器の音高は変化するが、弦間は相対的な調弦状態に保たれる。別の実施例では、複合弦には、屈曲セグメントと端同士を繋いだ楽器用弦セグメントを備える。該楽器用セグメントを、張設した状態で、所望の楽音及び音を出すように構成する。屈曲セグメントを、調弦用つまみ又はプーリ等のピボット周りに簡単に屈曲するように構成する。【選択図】図１０
2009500694.tif 000002
【特許請求の範囲】
【請求項１】
第１細長セグメント及び第２細長セグメントを備える楽器用弦であって、該第１細長セグメントと第２細長セグメントとを互いに連結させる該楽器用弦と、弦装着システムであって、該装着システムを、前記第１セグメントの倍音振動を前記第２セグメントから略絶縁するよう形成する該弦装着システムと、を備えること、を特徴とする弦楽器。
【請求項２】
前記装着システムを、前記第１セグメント及び前記第２セグメントを略同じ弦張力に維持するよう形成すること、を特徴とする請求項１に記載の弦楽器。
【請求項３】
前記弦セグメントの張力を表示するよう構成する張力計を更に備えること、を特徴とする請求項２に記載の弦楽器。
【請求項４】
前記装着システムにはピボットを備え、前記楽器用弦を、該弦の方向が前記ピボットで変化するように、少なくとも部分的に前記ピボット周りに巻き掛けること、を特徴とする請求項２に記載の弦楽器。
【請求項５】
前記ピボットには、該ピボットの両側で前記楽器用弦の両部分を略同じ張力にするように、前記ピボットを越えて弦張力を伝達する手段を備えること、を特徴とする請求項４に記載の弦楽器。
【請求項６】
前記第１セグメントと前記ピボットとの間に配置する第１セパレータと、前記第２セグメントと前記ピボットとの間に配置する第２セパレータとを備え、各セパレータを、弦振動が前記セパレータを越えて伝達しないよう略遮断するよう形成すること、を特徴とする請求項４に記載の弦楽器。
【請求項７】
前記第１セパレータと前記第２セパレータを、互いに略隣接して配設すること、を特徴とする請求項６に記載の弦楽器。
【請求項８】
前記第１弦セグメントと前記第２弦セグメントを、互いに略平行に配列すること、を特徴とする請求項７に記載の弦楽器。
【請求項９】
前記ピボットを、前記弦の張力を変化させるために、選択的に直線的に可動にすること、を特徴とする請求項４に記載の弦楽器。
【請求項１０】
前記ピボットを、該ピボットの有効径を選択的に増減してもよいよう形成すること、を特徴とする請求項４に記載の弦楽器。
【請求項１１】
前記ピボットにはプーリを備えること、を特徴とする請求項４に記載の弦楽器。
【請求項１２】
前記弦の第１端部をアンカーに取着し、前記弦の第２端部をテンショナに取着し、該テンショナを前記弦の張力を変化させるよう構成すること、を特徴とする請求項４に記載の弦楽器。
【請求項１３】
前記楽器用弦を、連続するループ状に配列すること、を特徴とする請求項４に記載の弦楽器。
【請求項１４】
少なくとも２つの装着領域間に配置する演奏領域であって、該演奏領域を、少なくとも１つの弦セグメントと夫々係合する振動セパレータによって、前記装着領域から分離し、前記振動セパレータを、前記演奏領域内の弦振動を前記装着領域内の振動から、略絶縁するように構成すること、を特徴とする請求項４に記載の弦楽器。
【請求項１５】
前記第１セグメントと前記第２セグメントを、前記装着領域の１つで互いに繋ぐこと、を特徴とする請求項１４に記載の弦楽器。
【請求項１６】
前記振動セパレータの少なくとも１つを、それに対応する弦セグメントの前記演奏領域の長さを選択的に調整するために、直線的に可動にすること、を特徴とする請求項１４に記載の弦楽器。
【請求項１７】
前記楽器用弦に係合するよう構成する張力調整装置を更に備え、該張力調整装置を、前記楽器用弦を撓ませるよう構成すること、を特徴とする請求項１４に記載の弦楽器。
【請求項１８】
前記ピボットを、弦張力が該ピボットを越えて伝達される第１配置と、弦張力が前記ピボットを越えて伝達されない第２配置とを有するように構成すること、を特徴とする請求項１７に記載の弦楽器。
【請求項１９】
前記ピボットを直線的に可動にし、該ピボットを所定の直線距離移動させることによって、弦張力を、前記張力調整装置を前記所定の直線距離移動させるより大きく変化させること、を特徴とする請求項１７に記載の弦楽器。
【請求項２０】
請求項１９に記載の弦楽器を提供すること、前記弦装着システムが前記第１配置にある間に、弦張力を粗調弦状態に調整すること、前記装着システムを作動して該システムを前記第２配置に変えること、及び前記装着システムが前記第２配置にある状態にして、各弦部分を所望の最終的な調弦状態に微調弦すること、を備えること、を特徴とする弦楽器を調弦する方法。
【請求項２１】
前記第１セグメントと前記第２セグメントとでは、単位長さ当りの質量が異なること、を特徴とする請求項１に記載の弦楽器。
【請求項２２】
前記弦セグメントを互いに分離して形成すること、を特徴とする請求項２１に記載の弦楽器。
【請求項２３】
楽器用弦セグメントの端同士を連結する手段を更に備えること、を特徴とする請求項２２に記載の弦楽器。
【請求項２４】
第１端部及び第２端部を有する第３細長セグメントを更に備え、該第３セグメントの第１端部を前記第１セグメントに取着し、前記第３セグメントの第２端部を前記第２セグメントに取着する請求項１に記載の弦楽器であって、前記第３セグメントは、前記第１及び第２セグメントのどちらよりも屈曲に対して柔軟であること、を特徴とする該弦楽器。
【請求項２５】
前記装着システムにはピボットを備え、前記第３セグメントを、前記ピボットで前記弦の方向を変えるように、少なくとも部分的に前記ピボット周りに巻き掛けること、を特徴とする請求項２４に記載の弦楽器。
【請求項２６】
前記弦装着システムには、張力調整システムを備えており、前記第１セグメントは、第１弦張力及び第１弦長で第１固有振動周波数を有し、且つ前記第２セグメントは、第１弦張力及び第１弦長で第２固有振動周波数を有しており、前記弦装着システムを、前記第１周波数に対する前記第２周波数との比率を、前記第１及び第２弦セグメントの張力を調整する際に、維持するよう形成すること、を特徴とする請求項１に記載の弦楽器。
【請求項２７】
前記弦装着システムを、前記第１弦セグメントの張力を、前記第２弦セグメントの張力に対して略一定の比率に維持するように形成すること、を特徴とする請求項１に記載の弦楽器。
【請求項２８】
前記第１弦セグメントと前記第２弦セグメントとを、一緒に回転するよう構成する第１及び第２プーリ部分を有する複合プーリを経由して互いに連結し、前記第１プーリ部分には第１半径を有し、前記第２プーリ部分には第２半径を有し、前記第１セグメントを前記第１プーリ部分に連結し、前記第２セグメントを前記第２プーリ部分に連結すること、を特徴とする請求項２７に記載の弦楽器。
【請求項２９】
前記第１又は第２弦セグメントに直接取着しない第３弦セグメントを更に備え、前記第１弦セグメントの張力を、前記第３弦セグメントの張力に対して略一定の比率に維持する手段を更に備えること、を特徴とする請求項１に記載の弦楽器。
【請求項３０】
端部同士を繋ぐ第１細長セグメントと第２細長セグメントとを備える複合弦であって、該第２セグメントを前記第１セグメントより屈曲に関してより柔軟にする該複合弦と、弦装着システムであって、該システムにはピボット部材を有する該システムとを備える弦楽器であって、前記第２セグメントを、前記複合弦の方向を前記ピボットで変えるように、少なくとも部分的に該ピボット周りに巻き掛けること、を特徴とする該弦楽器。
【請求項３１】
少なくとも１つの振動セパレータを更に備え、該セパレータの片側で装着領域を規定し、前記セパレータのその反対側で演奏領域を規定し、前記複合弦を前記振動セパレータを越えて引張る弦楽器であって、前記振動セパレータを、弦振動が前記セパレータを越えて伝達しないよう略遮断するように形成すること、を特徴とする請求項３０に記載の弦楽器。
【請求項３２】
前記ピボット部材を前記装着領域に配置すること、を特徴とする請求項３１に記載の弦楽器。
【請求項３３】
前記第１セグメントを前記演奏領域全体に延在させ、前記第２セグメントを前記装着領域に配置すること、を特徴とする請求項３２に記載の弦楽器。
【請求項３４】
前記ピボット部材には調弦用つまみを備えること、を特徴とする請求項３３に記載の弦楽器。
【請求項３５】
前記ピボット部材にはプーリを備えることこと、を特徴とする請求項３３に記載の弦楽器。
【請求項３６】
前記第２セグメントを、前記装着領域で、第３細長弦セグメントと端同士で繋ぎ、前記第３セグメントを前記演奏領域全体に延在させ、前記第２セグメントを前記第３セグメントより屈曲に対して柔軟にすること、を特徴とする請求項３５に記載の弦楽器。
【請求項３７】
前記複合弦に殆ど張力を印加せずに、前記第２セグメントをプーリ周りに屈曲すること、を特徴とする請求項３６に記載の弦楽器。
【請求項３８】
前記第２セグメントには幅及び厚みを有し、該幅を該厚みより広くすること、を特徴とする請求項３０に記載の弦楽器。
【請求項３９】
前記第２セグメントには、複数の長手方向に延在するフィラメントを備えること、を特徴とする請求項３０に記載の弦楽器。
【発明の詳細な説明】
【関連出願】
【０００１】
本出願は、２００６年２月１７日に出願された米国特許出願第１１／３５６，４８６号に対する優先権を主張し、２００５年７月１１日に出願された米国仮特許出願第６０／６９８，０２７号の利益を主張するものである。本出願は、上記の各優先権出願を参照により完全にここに組み込むものとする。
【技術分野】
【０００２】
本発明は、一般に弦楽器に関し、より詳細には、弦の張力を調整する間、相対的な調弦状態を維持する弦楽器に関する。
【背景技術】
【０００３】
弦楽器は、楽器の弦を所望の楽音に応じた波周波数で振動させる際に、音楽を奏でるようになっている。こうした弦は、一般的に比較的高張力に保持されており、弦が出す楽音は、弦の周波数、長さ、張力、材料及び密度の関数となる。振動する弦の固有周波数は、以下の波動方程式によって表される：ｆ＝（１／２Ｌ）（Ｔ／ｄ）１／２。
【０００４】
同式中、ｆは振動の固有周波数、Ｔは弦の張力、ｄは弦の密度（単位長さ当りの質量で）、及びＬは弦の関連部分の長さである。弦楽器には、一般的に、互いに略平行に配列した複数の楽器用弦を含む。好適には、各弦を、振動させた際に異なる楽音を出すように形成する。使用中、演奏者は、特定箇所で弦を押下して弦の周波数を可変させ、それにより弦の有効長を可変させ、それに応じて振動の固有周波数を変化させるかも知れない。出る楽音は、振動周波数の変化に伴い変化する。この式で示すように、振動周波数は弦の振動部分の長さに反比例する；従って、演奏者が弦を効果的に短くすると、振動の周波数が増大し、その結果出る楽音の音高がそれに応じて高くなる。
【０００５】
弦楽器の各弦は、一般的に、他の弦と相対的に調弦された状態で張設されており、それにより容易にコードや音階を予測して弾くことができる。この状態を通常“調弦状態”と呼び、これは弦の固有周波数が所定の間隔で互いに異なることを意味している。例えば、従来のギターの調弦では、最低周波数の弦をＥに調弦し、以降の弦を、Ａ、Ｄ、Ｇ、Ｂ及びＥに調弦する。このように、各弦を、前の弦より５半音高くする（最小周波数を弦毎に標準的な１２音音階で使用）が、ＧとＢの間だけは４半音とする。間隔の全てを合計すると、２４半音があり、これは２オクターブ（１２半音で１オクターブ）となる。
【０００６】
１オクターブでは音程が、高い楽音の周波数が、低い楽音の周波数の厳密には２倍となっている。ギターの低いＥ弦と高いＥ弦の振動周波数では、出る楽音が互いから２オクターブ離れている。式で示すように、弦の張力と密度を一定に保つ場合、周波数は、楽器用弦の長さを半分にすることで２倍になる可能性がある。どの因子を所望し、一定に保つかによって、異なる方法を使用する。例えば、低いＥ弦と高いＥ弦を、弦長が等しいギターで２オクターブ離すには、高いＥ弦の張力を、低いＥ弦の１６倍にする必要がある、又は、高いＥ弦の密度を、低いＥ弦の１／１６にする必要がある、又は張力と密度の違いを組合せて、１６の倍数とする必要があるが、それにより項Ｔ／ｄの平方根を取るようにすると、その結果４となり、これは２オクターブ音程に相当する４倍の周波数になることを示す。
【０００７】
ギター等一般的な楽器では、相互に対する弦の張力を、実用性に配慮して、大幅に変化させない。例えば、張力を高くし過ぎると、弦が特に切れ易くなる可能性があり；張力を低くし過ぎるとその結果、弦が緩み過ぎて、演奏中に振動すると、弦が楽器本体に接触する、或は他の弦を妨害する可能性がある。従って、一般的に、弦の密度（単位長さ当りの質量）を弦同士で幅広く異ならせ、それにより各弦が所望の固有周波数を有する一組の弦を獲得している。ギターに関しては、弦は６本組で販売されており、各弦を、所望の張力範囲内で弦が特定の所望する周波数を発生するような重量にしてある。
【０００８】
一般的に、ギターの弦は、ギターの片方の端部で固定し、他端部で回動可能な調弦用つまみに取着して、それにより各弦を適当な張力で締付けるかも知れない。各弦には、一般的に、夫々に固有のつまみ（糸巻とも呼ばれる）を有する。ギターの張弦では、各ギター弦の１端部をギター本体にある装着部に取付けること、弦をネック部に亘り適所に整列させること、及び弦をその対応する糸巻に連結して弦を締付ける及び調弦すること、が必要となる。こうした張弦は、時間のかかるプロセスとなる場合がある。
【０００９】
ギターの調弦は、各つまみを調節して、それにより所望の周波数を獲得するまで弦を張ったり、緩めたりして行う。ギター等の弦楽器を調弦するには、時間がかかり、難しいことがある。一般的に、ギタリストはまず正確に低いＥ弦を調弦して、その後次第に隣接する弦を調弦する。例えば、Ｅ弦を、Ａ音を出す位置まで短く（該弦をギターのネック部に対して押圧することによって）して、隣接するＡ弦を、Ｅ弦を弾いた際のＡ音に合致させるようにして耳で調弦する。Ａ弦に隣接するＤ弦も同様に、Ａ弦に対して調弦する。残りのＧ、Ｂ及びＥ弦にも同様にして、これら弦を隣接する弦に対して徐々に調弦する。こうした耳による調弦は、一般的に初心者や楽音に関する感覚が良くない者にとっては、極めて難しい。また、こうした調弦を行うには始めの基準音が必要であり、かかる基準音は通常異なる楽器で提供され、ギターの音質とは異なり、そのため更に調弦が複雑になってしまう。
【００１０】
ピアノは、一般的に約２２０弦を含む。一般的に、ピアノの調律は、ギターの調弦と略同様に行われ、２２０弦全てを互いの弦に対して調整する。
【００１１】
時には、特定の曲を演奏するために、ギタリストは自分の楽器の音高を変えたいこともあるかも知れない。これを、カポとして知られる装置を使用して達成できる。該カポは、ギターのネック部周りに巻き掛けて全ギター弦の長さを効果的に短くし、その結果周波数を増大させ、それに応じて全弦が出す音高を高くする一方で、相対的に調弦した状態に弦を維持できるものである。しかしながら、こうした作業は相対的にギターのネック部を短くするもので、そのため好ましくないかも知れない。また、ギタリストはコード等を弾くのに、ネック部に沿って指の位置を変化させる必要がある。そのため、ギターをより高い音高に完全に再調弦することが要求される場合がある。これについては、一般的に低いＥ弦、それからＡ、Ｄ弦等の再調弦が必要で、この再調弦は難しく、時間がかかる。従って、演奏中に一般的なギターを調弦するのは実際的ではない。
【発明の開示】
【発明が解決しようとする課題】
【００１２】
従って、当該技術分野において、比較的迅速且つ容易に張弦できる弦楽器に対する必要性がある。弦を簡単に相対的に調弦でき、相対的調弦状態に維持できる弦楽器に対する必要性もある。加えて、弦を簡単に完全な調弦状態にでき、長期間そうした完全な調弦状態を維持できる弦楽器に対する必要性もある。更に、当該技術分野において、弦間で相対的な調弦状態を概ね維持しながら、弦が出す音高を容易に変更可能な楽器に対する必要性もある。
【００１３】
１実施例によれば、弦楽器を提供するが、該弦楽器には、楽器用弦と弦装着システムを備える。楽器用弦には、第１細長セグメント及び第２細長セグメントを備え、該第１細長セグメントと第２細長セグメントとを互いに連結させる。該装着システムを、第１セグメントの倍音振動を第２セグメントから略絶縁するよう形成する。
【００１４】
別の実施例では、該装着システムを、第１セグメントと第２セグメントが略同じ弦張力を維持するように形成する。更に別の実施例では、該装着システムにはピボットを備え、楽器用弦を、該弦の方向が該ピボットで変化するように、少なくとも部分的に該ピボット周りに巻き掛ける。１実施例では、該ピボットを越えて弦張力を伝達し、それにより該ピボットの両側で楽器用弦の両部分を略同じ張力にする。
【００１５】
更なる実施例では、弦の第１端部をアンカーに取着し、該弦の第２端部をテンショナに取着し、該テンショナを該弦の張力を変化させるよう構成する。なお更なる実施例では、楽器用弦を、連続するループ状に配列する。
【００１６】
更に別の実施例では、装着システムと振動セパレータを、第１セグメントと第２セグメントを略同じ弦張力に維持するように形成する。なお更なる実施例では、第１セグメントと第２セグメントとでは、単位長さ当りの質量が異なる。更に別の実施例では、弦装着システムを、第１弦セグメントの張力を、第２弦セグメントの張力に対して略一定の比率に維持するように形成する。
【００１７】
更に別の実施例によれば、本発明により弦楽器を提供する。該楽器には、複数の楽器用弦セグメントを備えており、各弦セグメントは弦張力及び弦長に応じた倍音周波数を有する。倍音周波数で弦セグメントが振動すると、それに応じた楽音で音が出る。複数の弦セグメントを、該セグメント各々で相対的な調弦パターンに従って異なる楽音を出すように、調弦する。弦装着システムを、各弦セグメントを所望する張力で保持するよう形成する。弦張力調整システムを、複数の弦セグメント各々の張力を、同時に変化させるように形成するが、該変化を、該弦セグメントが出す楽音は、張力の変化に伴い変化するが、夫々の弦セグメントが出す楽音の相対的な調弦パターンは略同じに保つような方法で、行う。
【００１８】
別の実施例では、該張力調整システムを、該調整システムを作動させると、１セグメントの張力を、別のセグメントの張力より大きく変化させるように形成する。
【００１９】
本発明のなお更なる実施例によれば、楽器用弦システムを提供するが、該システムには端同士で連結した複数の弦セグメントを備え、それにより各弦セグメントを略同じ張力にする。該システムを、各弦セグメントが、該張力で異なる倍音周波数を有するように形成する。
【００２０】
更に別の実施例によれば、弦楽器を提供する。該楽器には、複合弦及び弦装着システムを備える。該複合弦には、端同士で連結する、第１細長セグメントと第２細長セグメントを備える。該第２セグメントを、該第１セグメントより屈曲に対して柔軟にする。該弦装着システムには、ピボット部材を有する。該第２セグメントを、ピボットで弦の方向を変えるように、少なくとも部分的に該ピボット周りに巻き掛ける。
【００２１】
別の実施例では、振動セパレータによって、演奏領域及び装着領域を規定し、弦振動を、該振動セパレータによって、該演奏領域と該装着領域との間で絶縁する。更なる実施例では、ピボット部材を装着領域に配置する。更なる別の実施例では、第１セグメントを演奏領域全体に延在させ、第２セグメントを装着領域に配置する。
【００２２】
１実施例では、ピボット部材には調弦用つまみを備える。別の実施例では、ピボット部材にはプーリを備える。更なる実施例では、複合弦に殆ど張力を印加せずに、第２セグメントをプーリ周りに屈曲する。
【００２３】
更に別の実施例では、第１セグメントと第２セグメントを、選択的に互いから取外可能にする。他の実施例では、第２セグメントには幅及び厚みを有し、該幅を厚みより広くする。更に他の実施例では、第２セグメントには複数のフィラメントを備える。
【発明を実施するための最良の形態】
【００２４】
以下の記述では、本発明の態様を説明する実施例について示す。当然ながら、多様な種類の楽器を、ここで記述するような態様及び原理を用いて構成できる。実施例については、図示した及び／又は具体的に説明した例に限定するものではなく、本出願において開示する様々な態様及び／又は原理を選択的に用いてもよい。
【００２５】
まず図１を参照すると、楽器用弦装置３０の１実施例について、説明している。図示の実施例では、単一の楽器用弦３２を、複数の回転可能なプーリ３４を経由して配弦している。弦３２の固定端３６を、好適には関連する楽器本体に固着させたアンカー機構に固着する。弦３２の回転端部３８を、調弦用つまみ等の弦を締付けるよう構成した機構に連結して、楽器用弦３２全体の張力を増大させる。
【００２６】
図示の実施例では、弦を、回転可能なプーリ３４間で６つの略平行なセグメント４０ａ‐４０ｆに分割する。好適には、プーリ３４を、各々が軸４２周りに回転するよう構成し、従って全弦３２を通して均一に張力を配分させる。このように、セグメント４０ａ‐４０ｆの各々は、略同じ張力となる。更に、プーリ３４によって好適には、各セグメントでの振動を他のセグメントから絶縁する。好適には、セグメント４０ａ‐４０ｆを略同じ長さにする。長さ及び張力が略同じであり、且つ該セグメントが、図示の実施例では略一定の密度を有する単一弦３２から成るため、各弦セグメント４０ａ‐４０ｆの振動の周波数は略同じになる。
【００２７】
更なる実施例では、各セグメントの振動の周波数を、特定の調整を行うことで可変にできる。例えば、プーリ３４の位置を、異なるセグメント４０ａ‐４０ｆの長さが様々になるように配置し、その結果異なる周波数を得ることができる。加えて、更なる図示の実施例では、弦セグメントには、例えば、夫々の弦セグメント周りに更なる楽器用弦を更に巻回する等して、異なる密度を有してもよい。１実施例では、連続する弦３２の各セグメント４０ａ‐４０ｆを、異なる密度を有するよう処理及び／又は変更する。このように、たとえ各弦セグメントを同じ張力にしても、各弦セグメントは、密度及び／又は他の処理で異なるため、異なる周波数で振動する。当然ながら、かかる密度を、演奏者の要望通りカスタマイズすることができる。従って、６つの弦セグメント４０ａ‐４０ｆについて説明する、図１の実施例を、一般的に６弦を含むギター用に使用可能にするよう変更することができる。勿論、他のより単純又はより複雑な楽器を、これらの原理を用いて作製することができる。
【００２８】
図１で図示した実施例では、複数の回転可能なプーリ３２を用いて、弦３２の方向を変化させ、弦セグメント４０ａ‐４０ｆを互いに振動絶縁させ、且つ弦３２全体に略均一に張力を伝達する。当然ながら、更なる実施例では、プーリ以外の構造体を用いることもできる。本明細書上では、用語“張力伝達ピボット”、又はただの“ピボット”のみも、弦を少なくとも部分的にその周りに巻き掛ける構造体を指すが、該構造体によって弦の方向を変える一方で、ピボットを越えて張力を伝達もし、それによりピボット両側で弦の張力を略同じにする。このように、張力を伝達するピボット構造体により、一般的にピボット上で及び／又はピボットを越えて弦を移動可能となり、それにより容易に引張力を分配できる。
【００２９】
適当な張力伝達ピボットには、図示の実施例の場合のように、回転プーリを含んでもよいが、ボールベアリング、車輪、ギア及び／又は研磨面又はテフロン（登録商標）コーティング等の低摩擦面を有するペグ又は棒体等、他の構造体を含んでもよい。また当然ながら、特定の状況では、弦を部分的に巻き掛けて弦の方向を変えるピボット構造体を、弦全体に張力を伝達しないよう特別に構成してもよい。例えば、ペグ、棒体等に特定の表面コーティング又は処理を施して摩擦を増大させ、それによりピボット表面上で弦が移動するのを防ぐ、或は抵抗して、その結果ピボットを越えて張力が伝達しないようにしてもよい。しかしながら、本明細書上では、特に記述しない限り、“ピボット”と言えば、張力を伝達するピボットを指す。
【００３０】
次に図２を参照すると、楽器用弦装着システム５０に関する別の実施例について説明している。図示の実施例では、単一弦５２には、アンカー端５４及び自由端５６を備える。この実施例では、アンカー５４を、当該楽器に取付け、ピボット５８周りに回して、テンショナ６０に戻す。自由端５６を、テンショナ６０に取着するが、該テンショナには、好適には、楽器に装着した糸巻を備える。糸巻６０を回動させると、弦５２が締付けられる。図示の実施例では、ピボット５８には、軸６３周りに回転可能なプーリ６２を備え、プーリ６２を越えて張力を伝達する。弦５２の第１セグメント６４を、アンカー５４とプーリ６２との間で規定し、弦５２の第２セグメント６６を、弦５２とテンショナ６０との間で規定する。
【００３１】
図示の実施例では、一対の振動セパレータ部７０を設ける。各振動セパレータ部７０には、セパレータ本体７４を回転可能に装着するセパレータ装着部７２を備える。図示したセパレータ体７４には、略円筒形のローラを備え、各ローラには、所望の整列状態に弦５２を保持するためのサドルとしての役割を果たす、成形溝７６又は切欠部を有する。セパレータ７０を、全体に亘って張力を伝達させるが、振動がセパレータ７０を横断しないよう略絶縁するように構成する。
【００３２】
引き続き図２を参照すると、演奏領域８０を、振動セパレータ部７０間で規定する。装着領域８２、８４を、両側のセパレータ部７０について演奏領域８０とは反対の側で規定する。具体的には、第１装着領域８２にはピボットプーリ６２を含み；第２装着領域８４には、アンカー５４及びテンショナ６０を含む。演奏領域８０の弦セグメント６４、６６部分を、装着領域８２、８４の弦から振動絶縁する。演奏領域８０の該弦部分については、演奏者が演奏するために使用すると想定している。
【００３３】
また、図３を参照すると、ギター９０には、本体９２、ネック部９４及びヘッド部９６を備える。好適には、図２で記述したシステムの原理を取り入れた楽器用弦装着システム１００を、ギター９０に配置する。図示したように、第１振動セパレータ部１０２を、ネック９４とヘッド９６との間で規定するが、これは従来のギターのナットに相当する。第２振動セパレータ部１０４を、本体９２に配置するが、これは従来のギターのブリッジに相当する。演奏領域１１０を、第１振動セパレータ部１０２と第２振動セパレータ部１０４との間で規定する。第１装着領域１１２を、演奏領域１１０とは反対の側でネック９４／ヘッド９６上に規定する。第２装着領域１１４を、第２振動セパレータ部１０４の演奏領域１１０とは反対の側で本体９２上に規定する。第２装着領域１１４は、従来のギターのストップテールピースに相当する。図示の実施例では、ギター本体９２には、ブリッジセパレータ部１０４に一定の圧力を印加するのに役立ち、それにより振動絶縁を助ける凹部１１６を含む。しかしながら、当然、他の実施例では、かかる凹部１１６を使用しなくてもよい。図示の実施例では、演奏領域１１０の弦部分を、両装着領域１１２、１１４で発生し得る振動から振動絶縁している。
【００３４】
次に図４及び図５を参照すると、弦システムに関する実施例を示している。特に図４を参照すると、細長い楽器用弦１２０の実施例には、好適には、第１端部１２４に連結具１２２を、及び第２端部１２８に又は第２端部１２８に隣接して、複数の離隔したボール１２６を備える。好適には、連結具１２２には、弦１２０を受容するよう寸法決めし、構成したスロット１３０、及びボール１２６の内１個を受容するよう寸法決めし、構成したボール装着部１３２を備える。
【００３５】
次に特に図５を参照すると、２つの弦セグメント１２０を、片方の弦１２０のボール１２６を、隣接する弦１２０の連結具１２２のボール装着部１３２に挿入することによって、端同士を繋ぐことができる。ユーザは、所望する弦セグメントの長さに応じて、複数のボール１２６中の１個を選択してもよい。好適には、余分な弦を切断する。その結果、弦セグメント１２０を端同士で繋ぎ、１本の複合弦１３４を形成することができる。好適には、個々の弦部分１２０には、異なる特性、例えば異なる密度等を有する。他のバリエーションとして、例えば音質、音色等に影響を及ぼす特性も、考えられる。
【００３６】
図４及び図５で図示する実施例では、ボールと連結具の構成を用いたが、当然ながら、他の構造体を、有利に使用して、弦セグメント１２０の端同士を連結してもよい。例えば、ボール１２６及び／又は連結具１２２の形状については、所望通り変更してもよい。加えて、他の方法、例えばスリーブ係止片、係合用フック及びループ、溶接、縛着、結締、及びそれらの組合せ、同様に他の構造的なバリエーションを使用して、弦セグメントの端同士を繋ぐことができる。
【００３７】
次に図６を参照すると、楽器用弦装着システム１４０の更に別の実施例を提示している。図示する通り、弦装着システム１４０には、伸長した複合楽器用弦１４２を備えるが、該弦１４２には、連結具１４８で端同士を、好適には図４及び図５に関連して上述した方法で、繋いだ第１弦セグメント１４４と第２弦セグメント１４６を備える。複合楽器用弦１４２の第１端部１５０には、関連する楽器のアンカー１５４に取付ける連結具１５２を備える。楽器用弦１４２の第２端部１５６をテンショナ１５８に取着するが、該テンショナ１５８を、楽器に定着して、選択的に弦１４２を締付けるよう構成する。細長い楽器用弦１４２を、図示の実施例では、回転プーリを備えるピボット１６０の周りに巻き掛ける。セパレータ１６２を提供することにより、弦１４２の演奏領域１６４を第１装着領域１６６及び第２装着領域１６８から振動的に分離させ、且つ関連する各弦セグメント１４４及び１４６の演奏領域１６４内に入る部分の有効長を確定する。好適には、第１弦セグメント１４４及び第２弦セグメント１４６の間の連結具１４８を、演奏領域１６４での弦の振動を妨害しないように、或は該振動に影響を与えないように、装着領域１６６に設ける。図示の実施例では、セパレータ１６２を図式的に示している。当然ながら、該セパレータを、図２に関連して上述したようなセパレータ部７０に構造的に類似させてもよい。或は、セパレータ１６２を越えて張力を伝達するが、振動がセパレータを横断しないよう略振動を絶縁できる限り、異なる種類の構造を有してもよい。
【００３８】
図６で図示する実施例では、第１弦セグメント１４４と第２弦セグメント１４６では、好適には、異なる密度及び／又は他の特性を有する。このように、該両セグメントをたとえ略同じ張力にしたとしても、弦セグメント１４４、１４６は異なる周波数で振動することになり、従って、異なる楽音を出す。更なる実施例では、図６で図示する原理を、更なるセグメントに適用してもよい。例えば、更なるピボットを装着領域１６６及び１６８に加えてもよい。また、更なる弦セグメントを、連結具で端同士を繋いで、要望に応じた数のセグメントを有する楽器用弦システムを作製してもよい。これらの弦セグメントは好適には前後にジグザグになり、複数の弦セグメントを有する演奏領域を確立する。好適には、各弦セグメントには、異なる密度を有する弦を用いるが、ピボット、セパレータ、アンカー等を、張力を弦全体に亘り略均一にするよう形成する。
【００３９】
例えば、次に図３及び図６Ａを参照すると、図６に関連して説明した原理を、端同士を繋いだ６つの弦セグメント１７０ａ‐１７０ｆを有する単一の複合楽器用弦１４２を持つギターに適用することができる。好適には、多数のセグメントから成る複合楽器用弦１４２を、ピボット１６０間を前後にジグザグに進めて、それにより演奏領域１６４内に６つの弦部分１７２ａ‐１７２ｆを作る。各演奏領域の弦部分１７２ａ‐１７２ｆを、好適には、複合楽器用弦１４２の弦セグメント１７０ａ‐１７０ｆに対応させる。好適には、６つの弦セグメント１７０ａ‐１７０ｆ各々には異なる密度を有するが、該弦セグメント１７０ａ‐１７０ｆを略同じ張力で保持する。
【００４０】
好適には、隣接する弦セグメントの密度及び／又は他の特性を、所望する隣接する弦部分間の相対的な調弦に適合するよう選択する。例えば、図６Ａで図示した実施例では、第２弦部分１７２ｂの密度を、第１弦部分１７２ａと同じ張力で、同じ有効長とした場合に、第１弦部分１７２ａが出す音より５半音高い楽音を出す周波数で振動するように、選択する。同様に、第３弦部分１７２ｃは、第２部分１７２ｂより５半音高い音を出すように選択した密度を有し；第４部分１７２ｄは、第３部分１７２ｃより５半音高い音を出すように選択した密度を有し；第５部分１７２ｅは、第４弦部分１７２ｄが出す楽音より４半音高い音を出すように選択した密度を有し；及び第６弦部分１７２ｆは、第５弦部分１７２ｅより５半音高い楽音を出すように選択した密度を有する。このように、本実施例は特にギターに対して有用であるが、これはギターでは弦間でこうした相対的な調弦を用いるためである。勿論、他の実施例では、異なる相対的調弦用装置を、適宜用いてもよい。
【００４１】
先に述べた実施例では、全ての弦部分１７２ａ‐１７２ｆを、全体的な弦の音高に関係なく、互いに相対的に調弦する。上述したように、第１、即ち最低音のギターの弦を、一般的には、Ｅに調弦し、残りの弦を第１弦と相対的に調弦する。図示の実施例でもそのようにできる。弦を、第１弦部分１７２ａでＥを出すように締付ける場合、その結果全ての弦部分１７２ａ‐１７２ｆが、第１弦部分１７２ａに対して相対的に調弦（及び従来の調弦を）された状態になり、従って、ギターの全弦部分が、該部分の単なる１弦部分を調弦することで、迅速に且つ容易に調弦できる。演奏者がギターの音高を変えたい場合、演奏者は単に複合楽器用弦１４２の張力を増大するだけでよい。張力が増大すると、全ての弦部分１７２ａ‐１７２ｆについても同時に張力が増大し、その結果より高い楽音が出せる。しかしながら、弦部分は依然として、同数の半音を該弦部分１７２ａ‐１７２ｆで出す楽音間で有する、相対的な調弦状態に保たれる。このように、自分のギターの音高を上げるために、演奏者が単に弦１４２の張力を張るだけで、それと同時に全弦の音高は上がり、その上楽器は相対的に調弦された状態に維持される。
【００４２】
図６Ａと関連して上述した実施例には、単一の複合楽器用弦１４２を用いる楽器を含み、該弦１４２は、演奏領域１６４にある６つの弦部分１７２ａ‐１７２ｆに対応する６つの弦セグメント１７０ａ‐１７０ｆから成る。他の実施例では、楽器は複数の複合弦を用いてもよい。例えば、図６及び図６Ａと関連して上述した原理を用いて、例えば、略独立して操作し、各々には３つの弦セグメントを備える２本の複合楽器用弦を有するギターを作製することができる。或は、ギターには、３本の複合楽器用弦を備え、該複合弦夫々には、２つの弦セグメントを備えてもよい。このように、ここで説明したような原理を用いる弦装着システムには、互いに直接関連しなくてもよい１、２、３、それ以上の弦サブシステムを用いてもよい。他の実施例では、後述するように、弦サブシステムを、楽器用弦装着システムにおいて連動させてもよい。
【００４３】
次に図７を参照すると、楽器用弦装着システム１８０の別の実施例について、提示している。図示の実施例では、第１弦セグメント１８２と第２弦セグメント１８４を、連結具１８６で端同士を繋ぎ、それにより単一の連続したループ状の複合弦１９０を形成している。他の実施例の場合のように、振動セパレータ１９２を提供して、演奏領域１９４及び第１装着領域１９６と第２装着領域１９８を規定する。セグメント１８２、１８４を、張力伝達ピボットとして機能する回転プーリ２００周りに巻き掛け、それにより連続する弦１９０全体に亘る張力を略均等にする。好適には、第１弦セグメント１８２と第２弦セグメント１８４を異なる密度にし、それにより各セグメントで、所望通り相対的に調弦した異なる楽音を出す。
【００４４】
図示の実施例では、一番目のプーリ２０２を直線的に可動にしている。より詳しくは、好適には、第１プーリ２０２の軸２０４を経路等上に装着し、それによりプーリ２０２を選択的に直線的に移動可能にする。プーリ２０２を外側へ、演奏領域１９４から離隔するよう移動させると、複合弦１９０の張力が増大し、プーリを内側へ移動させると、複合弦１９０の張力は減少する。
【００４５】
更に図８及び図９を参照すると、直動装置２１０の実施例について示している。図示した直動装置２１０を、図７と関連して上述したように、選択的に直線運動するようにして楽器に装着するよう構成する。図示の実施例では、装置２１０には、糸巻、即ち、雄ネジロッド又はネジ２１４に取着するハンドル２１２を備える。ハンドル２１２及びロッド２１４を好適には、楽器に装着するブラケット２１６に装着する。雌ネジブロック２１８を、ロッド２１４に螺着する。ブロック２１８には、連結ロッド２２０とブッシュ２２２を備える。ブラケット２１６には、連結ロッド２２０及びブッシュ２２２を嵌入させる細長スロット２２４を更に含む。従って、ハンドル２１２及びネジ付ロッド２１４を回動させると、ブロック２１８、及び付随する連結ロッド２２０及びブッシュ２２２が、スロット２２４内でロッド２１４に沿って直線的に移動する。好適には、図７で示した実施例等の実施例の第１プーリ２０２を、連結ロッド２２０に取着し、それにより連結ロッド２２０を、第１プーリ２０２の軸２０４として機能させる。
【００４６】
当然ながら、他の適当な構造体を、プーリ軸２０４を直線的に移動させるのに用いてもよい。例えば、別の実施例では、ラックピニオン式のギア装置を用いてもよい。更に、ラチェッティング等を用いてもよい構造体を含む、他の構造体を、適宜使用してもよいと考えられる。
【００４７】
次に、図１０を参照すると、更に別の、楽器用弦装着装置２５０の実施例について図示している。図示の実施例には、連結具２５６で端同士を繋いだ６つの弦セグメント２５４ａ‐２５４ｆから成る単一の複合弦２５２を備える。図示した複合弦２５２は自身に連結して、連続するループを形成している。具体的には、第１セグメント２５４ａを第２セグメント２５４ｂと端同士を繋ぎ、該第２セグメント２５４ｂを第３セグメント２５４ｃと端同士で繋ぎ、該第３セグメント２５４ｃを第４セグメント２５４ｄと端同士で繋ぎ、該第４セグメント２５４ｄを第５セグメント２５４ｅと端同士で繋ぎ、該第５セグメント２５４ｅを第６セグメント２５４ｆと端同士で繋ぎ、該第６セグメント２５４ｆを第１セグメント２５４ａと端同士で繋いでいる。
【００４８】
複合弦２５２を、多数の回転可能なプーリ２６０を経由して配弦２５８するが、該プーリは、複合弦２５２全体に略均一な張力を提供し続けるよう機能する。各プーリ２６０は、好適には軸２６２周りに回転する。第１装着領域２７２及び第２装着領域２７４から振動的に分離する演奏領域２７０を規定するために、振動セパレータの第１セット２６４と第２セット２６６を提供する。図示の実施例では、各振動セパレータ２６６には、略垂直軸２７８について回転するよう構成する略円筒体２７６を備える。しかしながら、他の構造体を振動セパレータ用に適宜使用してもよいと、考えられる。加えて、図示した弦装着システム２５０には、６つの弦部分２８０ａ‐２８０ｆを演奏領域２７０に含んでおり、従って特に図３の実施例の場合のように、ギターについて使用するのに適している。当然ながら、弦部分２８０ａ‐２８０ｆ間の間隔を適宜調整して、それにより演奏領域２８０ａ‐２８０ｆにある弦部分２８０ａ‐２８０ｆを互いから一様に離隔させる、或は任意の他の所望する配列に設けることができる。
【００４９】
図１０で図示した実施例では、プーリの１つを、張力調整用プーリ２８４とする。好適には、張力調整用プーリ２８４を、他のプーリ２６０に対して直線的に可動とし、それにより同時に、全ての弦部分２８０ａ‐２８０ｆの張力、ひいては音高を増減する。図示の実施例では、張力調整用プーリ２８４を、図８及び図９と関連して記述した構造体２１０等の、任意の適当な構造体で直線的に可動にしている。
【００５０】
好適には、張力調整用プーリ２８４によって、調弦についてマクロ調整、又は粗調整を行い、演奏者が迅速に弦システム２５０を所望の調弦音高に又はそれに極めて近い音高で調弦できるようにする。図示の実施例では、微調弦部材２８６も提供する。図示した微調弦部材２８６には、複合弦２５２と係合する回転可能なプーリを備えるが、該プーリは、直線的に、段々と複合弦２５２に係合する及び複合弦２５２から外れるよう可動であり、それにより選択的に弦２５２を撓ませて、その結果弦２５２の張力を増減する。
【００５１】
好適には、微調弦部材２８６をマクロ調整プーリ２８４より小さくし、微調弦部材２８６を概してマクロ調整プーリ２８４より弦２５２と緩く係合させる。例えば、図示の実施例では、弦２５２をマクロ調整プーリ２８４の周りに１８０度巻回するが、微調弦部材２８６では楽器用弦２５２とそれより少なく接触させる。このように、微調弦部材２８６の直線運動が、同量のマクロ調整プーリ２８４の直線運動より、弦の張力に与える影響を少なくする。従って、粗調弦した後、演奏者は微調弦部材２８６を使用して、楽器を完璧に調弦した状態にダイヤルしてもよく、マクロ調整プーリ２８４で行うよりも一層容易に該状態を達成することができる。勿論、更なる実施例では、単独の調整プーリだけを用いてもよい。
【００５２】
低品質又は一般的な品質の楽器用弦を用いた場合でも、弦セグメントの密度に関して幅広い製造上のバラツキがあることが予想される。例えば、弦セグメントの密度は製造中厳しく管理されない可能性があり、その結果指定した張力での弦の実際の振動周波数にはバラツキがでる。従って、弦セグメントは、指定した弦張力及び長さで期待された正確な音を出ない可能性がある。場合によっては、そうしたバラツキが原因で、弦セグメントを、全て同じ張力に保持した場合に、所望する相対的な調弦状態にはないかも知れない。しかしながら、該弦セグメントはおそらく相対的な調弦状態に極めて近いであろう。
【００５３】
引き続き図１０を参照すると、１実施例では、第２装着領域２７４に隣接する振動セパレータ２６６を、好適には選択的に直線的に可動にしている。好適には、かかる振動セパレータ２６６の各々を、個別に可動にする。ギターでの使用に適する実施例では、可動範囲を約１／２‐２インチ、より好適には約１インチとする。他の楽器については、かかる可動範囲を、弦の密度及び長さに応じて含んでもよい。更なる実施例では、演奏領域２７０の両側にある振動セパレータ２６４、２６６を、直線的に可動にしてもよい。しかしながら、演奏領域の弦の有効長を演奏者の運指により短くする楽器（例えばギター、バイオリン等）では、好適には、楽器本体（例えばギターのブリッジ）にある振動セパレータのみを可動にする。
【００５４】
可動な振動セパレータとして、図８及び図９と関連して上述した装置と同様な調整用構造体を用いてもよいが、他の構造体を用いてもよい。使用可能な構造体の例として、インクリメンタルペグ及び穴配置、戻止め付又は戻止め無しのスライド、スライド及びクランプ装置、ラチェットギア或は任意の他の適当な構造体を含むが、これに限定されるものではない。
【００５５】
別の実施例では、直線的に可動なプーリ２８４をバネ部材に連結し、それによりプーリを、弦２５２を締付ける方向に（図１０で図示した装置の演奏領域２７０から離隔する方向に）付勢する。好適には、バネの第１端部を楽器に取着し、第２端部をプーリ２８４に取着する。より好適には、該バネのバネ定数を、バネが比較的一定の力を短い撓み範囲で及ぼすように選択する。従って、弦２５２が時間の経過と共に延伸又は伸長したとしても、バネが緩みを除き、比較的一定の張力を弦２５２に印加し、それにより出る音が聴覚的に変化しない。
【００５６】
出願者は、一般的なギターに関して楽器用弦が比較的僅かに“延伸”することで、弦の張力が減少し、その結果弦セグメントが調弦状態でなくなる点に注目した。例えば、楽器用弦が１／８インチ未満伸長しただけで、その音に聴覚的な変化が出る可能性がある。従って、好適には、バネを、約１／８インチの変位範囲に亘り比較的一定の力を掛けられるよう選択する。比較的一定の力としては、関連する弦に関して聴覚的に音が変化しない範囲の力を含む。従って、本実施例では、一旦弦を調弦状態にすると、たとえ弦が微少に延伸しても、その弦は調弦状態のまま変化しない。また、本実施例では、楽器を自動的に調弦可能である。例えば、一旦弦２５２を、一定の力の範囲内でバネを係合させる程度に十分締付けると、該バネによって確実に弦張力を補正できる。
【００５７】
別の実施例では、バネの第２端部を調整用部材に取着し、それにより調整用部材を作動させることによって、バネの直線変位を大幅に可変でき、従って、バネが弦に掛ける力／張力を、バネの変位を調整することで調整できる。
【００５８】
上述した原理を、他の実施例と関連して用いることもできる。例えば、多弦楽器の個々の弦に、バネ仕掛けの弦装着部を含めてもよい。また、多セグメントの楽器用弦の第１端部を、バネ仕掛けの弦装着部に取着してもよい、或は、かかる弦の両端部をバネ仕掛けの弦装着部に取着してもよい。
【００５９】
次に図１１を参照すると、更に別の音楽弦装着システム２８８の実施例について、提示している。図示の実施例は、図１０に関連して上述した実施例２５０が有する多くの構造的事項及び効果について共通しており、該共通点として、連続してループ状にした複合楽器用弦２５２及びマクロ調弦調整プーリ２８４が挙げられる。しかしながら、本実施例では、好適には、各弦プーリ２６０を、回転しないように、それに応じて、プーリを越えて張力をそれ以降伝達しないように、選択的に適所で係止してもよい。
【００６０】
図示の実施例では、各プーリ２６０、２８４には、歯２９０を有する外周部を備える。歯２９０を好適には、プーリ２６０、２８４にある弦２５２を妨害しないよう設ける。ラッチ２９２を、各プーリに隣接して提供し、プーリ２６０、２８４が回転しないように選択的に歯２９０と係合するよう構成する。好適には、ラッチ２９２をバネ仕掛けにし、それにより該ラッチをトリガすると、プーリが適所で止まるようにする。微調弦用部材２９４、２９６を、プーリ２６０、２８４間に張設した各弦セグメント２５４ａ‐２５４ｆに、又は、該弦セグメント２５４ａ‐２５４ｆに隣接して提供する。第１の種類の微調弦用部材２９４は、図９と関連して上述した微調弦用プーリ２８６に酷似している。第２の種類の微調弦用部材２９６は、別の実施例に従って構成されている。より詳しくは、第２微調弦用部材２９６夫々には、軸３０２に回転可能に装着し、関連する弦セグメント２５４ａ‐２５４ｆと係合し撓ませるよう構成したカム３００を備える。カム３００を回動させて、それにより関連する弦セグメント２５４ａ‐２５４ｆの撓みを増減し、それに応じて関連する弦部分２８０ａ‐２８０ｆの張力を増減させてもよい。
【００６１】
図示の実施例では、弦システム２８８をまず調整用プーリ２８４により所望の張力まで引張り、それにより所望する１つの弦部分１８０ａ、例えばギターの低いＥ弦等を調弦する。好適には、残りの弦部分１８０ａ‐１８０ｆを、一般的なギターの残りの弦に対するように、適切に調弦するよう構成するが、例えば幅広い公差等の製造上のバラツキが原因で、該部分は、低いＥ弦セグメントを調弦した状態での張力で、適切な相対的調弦状態に厳密にはないかも知れない。ラッチ２９２を、その後トリガして、各弦部分２８０ａ‐２８０ｆを、そのマクロに調弦した張力に維持し、且つ弦部分２８０ａ‐２８０ｆをプーリ２６０、２８４間で互いから振動及び張力絶縁する。好適には、該プーリには比較的高摩擦面を有し、それにより弦２５２がプーリを越えて移動しないようにし、その結果張力が、プーリ２６０、２８４を越えて伝達しないようにする。演奏者は、その後微調弦用部材２９４、２９６を調整して、必要に応じて、弦部分２８０ａ‐２８０ｆの張力を変化させ、適宜各弦部分を微調弦して、確実に正確な相対的調弦を行う。  
【００６２】
当然ながら、他の構造の装置を用いて、図１１と関連して上述した目的を達成してもよい。例えば、使い易くするために、単一のラッチ機構を、装着領域２７２、２７４の片方で３つのプーリ２６０全てに同時に係合するよう構成してもよい。加えて、複数のプーリに係合するラッチを、各装着領域に提供してもよく、該複数のラッチを、単一のボタン、スイッチ等で選択的に稼働可能なように連動させてもよい。更に別の実施例では、装着領域のギアを、複数のプーリの歯と係合させ、その結果プーリを回転させるよう構成する。ラッチ、止め具又は他の停止機構を提供して、装着領域ギアと係合させ、それにより装着領域ギアの回転を選択的に抑制し、その結果装着領域ギアと係合するプーリの回転を選択的に抑制する。１つ又は複数の装着領域ギアを、各装着領域２７２、２７４に提供してもよい。また該ギアは個別に動作してもよい。或は、適宜該ギアを関連させ、それにより協働させてもよい。例えば、チェーン、ベルト等を、装着領域ギア間に延在させて、それにより装着領域ギア、ひいてはプーリを、全て一斉に回転させてもよい、或は一斉に回転するのを防いでもよい。実施例によっては、演奏領域２７０の両側にある装着領域２７２、２７４に位置する装着領域ギアを、そのように関係させてもよい。好適には、プーリが自在に回転できるが、プーリが回転しないよう選択的に適所で係止させられる、任意の構造を用いてもよい。  
【００６３】
図１１と関連して上述した実施例では、プーリ２６０、２８４には、該プーリが回転し、張力を伝達するピボットとして機能する第１配置と、該プーリが回転せず、張力を伝達しないピボットとして機能する第２配置とを有する。第１配置にある場合、演奏者は張力を調整して、弦部分２８０ａ‐２８０ｆ全てを同時にマクロ又は粗調弦できる。演奏者は、その後、１つ又は複数のトリガボタンを作動させて、或は手動でラッチ２９２等を作動させて、停止機構を作動させ、それにより弦システム２８８を第２配置に切換える。該システムが第２配置にある場合、演奏者は、個々に各弦部分２８０ａ‐２８０ｆの張力を微調弦できる。
【００６４】
図１１で図示した実施例では、２つの異なる微調弦用装置２９４、２９６という実施例を示している。当然ながら、第１の種類の装置２９４、第２の種類の装置２９６、又はかかる装置の組合せを使用することできる。また、当然ながら、容易に弦部分の張力を変えられる他の構造体も使用してもよい。
【００６５】
好適には、カムタイプの微調弦用部材２９６は、カムが弦張力を増大できる、又は減少できる中立位置を有する。例えば、図１１で図示する実施例では、カム装置３００を右回り回転させると、関連する弦部分２８０の撓みを増大させ、その結果弦張力を増大させるが、カム３００を左回りに回転させると、関連する弦部分２８０の撓みを減少させ、従って張力を減少させる。１実施例では、カムタイプの微調弦用部材２９６をバネ仕掛けにし、それによりボタン、スイッチ等を作動させると、カム部材３００はその中立位置に戻るようにする。
【００６６】
次に図１２ａ及び図１２ｂを参照すると、張力調整用プーリ３１０の別の実施例について、説明している。図示の実施例では、張力調整用プーリ３１０を、“絞り（ｉｒｉｓ）”式プーリとするが、該タイプではプーリの有効径を調節可能である。より詳しくは、プーリの有効径を増大すると、楽器用弦の張力がそれに応じて増大する。プーリの有効径を減少させると、張力はそれに応じて減少する。
【００６７】
図１２ａ及び図１２ｂで図示した張力調整用プーリ３１０には、頂部３１４、底部３１６及び係合面３２０を有する略円錐形のプーリ部材３１２を備える。好適には、頂部３１４を平坦にし、それによりプーリ部材３１２を部分円錐体にする。好適には、プーリ部材３１２を、関連する楽器に回転可能に装着する。細長スロット３２２を、表面３２０を貫通して形成する。長尺ボルト３２４を下方に、プーリ部材３１２の頂部３１４から延在させて、弦ガイド３３０と係合させる。弦ガイド３３０には、ボルト３２２のネジ山と係合するよう雌ネジを切ったナット部分３３２を含む。複数のアーム３３４が、ナット３３２から外側に半径方向に延在し、対応する細長スロット３２２を通り、表面３２０を貫通して延在する。各アーム３３４には、好適には、上側部分３３６及び下側部分３３８を含むが、該両部分を楽器用弦の直径と等距離以上に離隔させる。
【００６８】
操作する際には、ボルト３２４を回転させ、ボルトのネジ山をナットのネジ山と係合させ、それによりナット及び関連するアーム３３４を上方及び下方へ直線的に移動させる。弦座３４０を、上側アーム部分３３６と下側アーム部分３３８との間で、且つプーリ部材３１２の表面３２０で規定する。弦座３４０の位置は、アーム３３４がプーリ３１２の表面３２０を上下に移動するに従い、変化する。張力調整用プーリ３１０の有効径は、弦座３４０でのプーリ部材３１２の直径によって規定される。ボルト３２４を回転させて、弦保持装置３３０を上方に移動させると、プーリ部材３１２の有効径は減少する。また逆に弦保持装置３３０を下方に移動させると、プーリ部材３１２の有効径は増大する。
【００６９】
図１２ａ及び図１２ｂと関連して上述した実施例等の絞りにより張力を調整するプーリ３１０により、図１０の張力調整用プーリ２８４と同様にして張力調整できるが、直線運動機構は必要としない。従って、更なる実施例では、絞り張力調整用プーリ３１０を、直線的に可動な張力調整用プーリ２８４の代わりに、又はそれに加えて使用してもよい。更に、上述した実施例で示した特定の構造以外の構成を有する絞り式張力調整用プーリを用いてもよいと、予想される。
【００７０】
次に図１及び図１３ａ‐図１３ｃを参照すると、楽器用弦装着装置３５０の別の実施例について、提示している。この実施例でも、弦楽器を微調弦するよう調整可能である。例えば、図１３ａでは、楽器用弦３５２を一対のプーリ３５４間に渡して引張り、第１張力で保持する実施例について示している。弦３５２の第１弦セグメント３６０及び第２弦セグメント３６２は、既定経路を辿る。複数のペグ３６４を、好適には、弦の既定経路に近接させるが、該経路から離隔して提供する。
【００７１】
図１３ｂでは、第１弦セグメント３６０をペグ３６４内の１つの周りに引張る実施例を説明している。この実施例では、弦３６０をその既定経路から撓ませており、該経路を長くして、その結果弦３５２の張力を増大させている。図１３ｃでは、第２弦セグメント３６２を更に別のペグ３６４と係合させて、また更に弦張力を増大させるなお更なる装置について説明している。また更なる装置では、弦セグメントを、複数のペグ３６４と係合させてもよい。
【００７２】
図１３ａ‐図１３ｃで図示した装置では、ペグ３６４は振動セパレータとしても機能する。更に、ペグ周りに弦を配弦した場合、どのペグの周りに弦３５２が配弦されるかに応じて、弦セグメント３６０、３６２の有効振動長は短くなり、従って、少なくともそのセグメントで楽器用弦の振動の固有周波数が変化する。従って、図１２ｃで図示した装置の場合のように、弦３５２の張力はプーリ両側で均一であるが、弦セグメント３６０、３６２の有効長が、片側で他側より短くなり、その結果異なる固有周波数を得られる。別の実施例では、ペグ３６４を装着領域に配置してもよい。また振動セパレータを提供し、それにより弦３５２をペグ３６４に掛けて配弦することによる影響を、弦セグメント３６０、３６２の有効長が受けないようにしてもよい。また更なる実施例では、プーリ３５４を選択的に回転停止させて、それにより張力的に一方の弦セグメントを他方の弦セグメントから絶縁させてもよい。その後、弦セグメントをペグ３６４の周りに配弦して、それにより別々に各弦セグメント３６０、３６２を所望の張力に微調弦してもよい。
【００７３】
図示の実施例では、ペグ３６４を楽器に固着している。別の実施例では、多数の戻止め又は穴を楽器に提供し、ペグを取外可能に該穴に嵌入する。なお更なる実施例では、ペグ３６４を伸縮可能にし、選択的にユーザが適宜展開するまで、楽器内に収納した状態のままにする。こうした伸縮可能なペグを、バネ仕掛けにして、簡単に展開するようにしてもよい。なお更なる実施例では、かなり高度に研磨した及び／又はテフロン（登録商標）コーティング等のコーティングで表面処理を施したペグを用いて、それにより弦を簡単にペグの該低摩擦面上で滑らせ、その結果ペグの両側に張力を伝達させてもよい。或は、ペグに、高摩擦表面処理及び／又はコーティングを施して、それによりペグを越えて弦を移動しにくくし、従ってペグを越えて張力を伝達させないようにしてもよい。
【００７４】
次に図１４を参照すると、楽器用弦装着装置３７０の別の実施例について示しており、該装置では、隣接した弦部分を、張力調整中に相対的な張力に保持及び維持する。図示の実施例では、複合プーリ３７２には、第１半径Ｒ１を有する第１プーリ３７４と、第２半径Ｒ２を有する第２プーリ３７６とを備える。プーリ部材３７４、３７６を、軸３７８の周りに一緒に回転するよう構成する。第１弦セグメント３８０を好適には、該セグメント３８０の第１端部３８４にある連結具３８２を介して楽器に連結する。第１弦セグメント３８０の第２端部３８６を、第１プーリ部材３７４に連結する。好適には、弦セグメント３８０をプーリ部材３７４周りに少なくとも部分的に巻き掛け、プーリ３７４の連結部分３９０、３９２と弦セグメント３８０とを互いに係合させる。第２弦セグメント３９６の第１端部３９４を、第２プーリ部材３７６に連結する。好適には、弦セグメント３９６をプーリ部材３７６周りに少なくとも部分的に巻き掛け、プーリ３７６の連結部分３９０、３９２と弦セグメント３９６とを互いに係合させる。第２弦セグメント３９６の第２端部３９８を、楽器に取着した張力微調整つまみ又はキー４００に連結する。好適には、振動セパレータ４０２を提供して、第１装着領域４０６と第２装着領域４０８との間で演奏領域４０４を規定する。
【００７５】
図示の実施例では、第１半径Ｒ１は第２半径Ｒ２と異なる。このように、糸巻４００を捩って、第２弦セグメント３９６の張力を増減すると、張力は第１弦セグメント３８０でも影響を受ける；しかしながら、第１弦セグメント３８０の張力と第２弦セグメント３９６の張力とは、相対的な関係に従い異なるものになる。より詳しくは、プーリ３７２が、複合プーリ３７２が回転しない平衡状態である場合、第１弦セグメント３８０及び第２弦セグメント３９６の各々が力、又は張力を印加しており、十分に慣性モーメントが釣合い、プーリ３７２に関して相反する慣性モーメントが働いている状態となる。弦セグメント３８０、３９６の張力は、数学的関係Ｔ１Ｒ１＝Ｔ２Ｒ２に従って互いに関係するが、式中、Ｔ１は第１弦セグメント３８０の張力、Ｒ１は第１プーリ部材３７４の半径、Ｔ２は第２弦セグメント３９６の張力、及びＲ２は第２プーリ部材３７６の半径である。このように、弦セグメント３８０、３９６の張力は、プーリ部材３７４、３７６の相対的な半径に基づく数学的関係、例えばＴ１＝（Ｒ２／Ｒ１）Ｔ２従い、常に異なる。
【００７６】
別の実施例では、図１４で示した実施例のように、第１半径を有する第１プーリ部材を用いた複合プーリを、提供する。しかしながら、第１プーリ部材と共に回転する第２プーリ部材には、好適には可変半径を有する。例えば、第２プーリ部材は、図１２と関連して上述したような“絞り”構造を用いてもよい。このように、隣接した弦セグメント間の張力の関係を、調整することができる。こうした装置によって、弦セグメント間の相対的な調弦関係を微調弦可能になる。調弦関係を適切に調整すると、弦セグメントの音高を、相対的な調弦を維持しながら、同時に変えられる。
【００７７】
次に図１５を参照すると、楽器用弦装着装置４２０の別の実施例について、説明している。この実施例では、複数の弦サブシステム４２２各々に、軸４２７を有する直線的に可動なプーリ４２６周りに配弦する楽器用弦４２４を備える。各楽器用弦４２４の第１端部４２８を、連結具４３０で楽器に定着させる；第２端部４３２を、糸巻等の張力付与装置４３４に取着する。好適には、各サブシステム４２２では、振動セパレータ４３６により、第１装着領域４４２と第２装着領域４４４との間で演奏領域４４０を規定する。各サブシステム４２２を、好適には、関連する張力付与装置４３４を使用して、個別に調弦する。
【００７８】
音高調整システムを、各サブシステム４２２の張力を同時に増減させて、それにより弦システム４２０全体の音高又はキーを変えるように構成する。図示した音高調整システム４５０には、複数の主調整ワイヤ４５４を少なくとも部分的に巻回する音高調整用つまみ４５２を備える。
【００７９】
複数の比例調整用プーリ４６０を提供し、１つの比例調整用プーリ４６０を各主調整ワイヤ４５４に対応させる。各比例調整用プーリ４６０には、好適には、同軸に設けた第１プーリ部材４６２及び第２プーリ部材４６４を備え、該両部材を、軸４６６について互いに回転するよう構成する。主調整ワイヤ４５４は、第１プーリ部材４６２に取着する。専用の直線運動用線４７０を、第１端部４７２で関連する第２プーリ部材４６４に取着する。各直線運動用弦４７０の第２端部４７４を、対応するサブシステムのプーリ４２６の軸４２７に取着する。
【００８０】
好適には、サブシステムの各プーリ４２６を、好適には楽器の演奏領域４４０の弦４２４の長手方向軸と略平行な線に沿って、直線的に可動にする。このように、比例調整用プーリ４６０を回転させると、直線運動用線４７０が、サブシステムのプーリ４２６を直線的に移動させ、その結果関連する弦４２４を延伸する又は緩める。プーリ４２６と関連する弦４２４は、方程式Ｆ＝-ｋｘで表せるが、式中、Ｆは弦に関する力又は張力、“ｘ”は弦の直線変位、及び“ｋ”はバネのバネ定数である。このように、プーリ４２６を直線的に移動させると、対応する弦４２４の張力が、その弦の変位及びバネ定数に基づいて増減する。好適には、比例プーリ４６０をそうした材料特性を考慮して夫々寸法取りし、それにより弦４２４間で正確な相対的調弦を維持する。
【００８１】
主調整ワイヤ４５４及び直線運動用線４７０を、好適には、ワイヤ、弦等の材料で作製し、プーリ周りに巻回することができるが、その長さに沿って張力を伝達してもよい。
【００８２】
図示の実施例では、各比例プーリ４６０の第１プーリ部材４６２と第２プーリ部材４６６とでは、異なる半径を有する。このように、プーリ部材４６２の半径とプーリ部材４６４の半径との数学的な比例関係によって、音高調整用つまみ４５２を回転させると発生する、対応する弦サブシステム４２２の弦４２４における張力の変化が決まる。好適には、音高調整用つまみ４５２を、該つまみを回転させると、各主調整ワイヤ４５４が略同じ直線距離を進むように、構成する。しかしながら、各サブシステム４２２と対応する比例プーリ４６２、４６４の半径が異なるために、主調整ワイヤ４５４がそれに応じて直線移動する結果、弦サブシステム４２２毎に、異なる特別に構成した張力調整を行える。これらの相対的な調整は、各比例調整用プーリ４６０の半径の比例関係と夫々の弦のバネ定数等、他の要因との組合せで、決まる。このように、各弦サブシステム４２２の張力を、音高調整用つまみ４５２を回動させて調整するが、こうした弦サブシステム間の張力調整を、数学的に関係付けて行い、それにより弦サブシステム間の相対的調弦でかかる数学的関係を保ち、各弦サブシステムも他のサブシステムと相対的調弦状態を保つようにする。従って、各比例プーリ４６０の第１プーリ部材４６２と第２プーリ部材４６４の相対的な半径を、好適には、関連する弦サブシステム４２２の特性、例えば密度やバネ定数等、を考慮して選択する。要するに、音高調整用つまみ４５２を回動することで、弦サブシステム４２２群全体の音高を、サブシステム４２２間で所望の相対的調弦を維持しながら、同時に調整することができる。
【００８３】
図１５で図示した実施例では、振動セパレータ４３６には非回転柱を備える。しかしながら、好適には、柱には表面処理を施し、それにより関連する楽器用弦が簡単に該柱上を移動し、張力を容易に該柱に伝達するが、弦振動は該柱を越えて伝達しないようにする。
【００８４】
音高調整用つまみ４５２に掛かる力は極めて大きいと予想されるため、好適な実施例では、音高調整用つまみ４５２には、ラチェット機構を好適には含み、所望する張力で選択的につまみを保持する。ラチェット機構を、ラッチ、ボタン等を作動させて、選択的に解除してもよい。
【００８５】
別の実施例では、つまみ４５２を、より簡単に弦システムを調整するよう動力化してもよい。これは特に、図示した実施例で提示したよりも、複雑で、多数の弦サブシステムを伴う実施例について、有用かも知れない。例えば、図１５と関連して上述した実施例の態様を用いるピアノには、１つに付き１本又は複数の弦を持つサブシステムを幾つか含む可能性があり、動力付き調整用つまみが、特に有益かも知れない。また更なる実施例では、モータを、弦張力を検知し、かかる検出した張力に基づいて位置を自動的に調整するよう構成してもよい。例えば、該システムがそれ自体を自動的に調整して、調弦した状態を保つようにし、それにより特定の所望する調弦状態に応じた正確な張力を維持してもよい。また、該システムを、ユーザが作動させると、弦の張力を増減させて、ピアノのキーを変えるよう構成してもよい。より詳しくは、作動時に、該システムが現在の張力を検知し、張力をユーザが指示した音高又はキーに増減するために、モータを動作させてつまみを回動させる。かかる音高を、該つまみで検知した張力で示す。
【００８６】
次に図１６及び図１７を参照すると、楽器用弦装着装置４９０の別の実施例について、説明している。図示の実施例では、複数の楽器用弦セグメント４９２ａ‐４９２ｆには、各々楽器に固定する第１端部４９４及び締付用つまみ５００に取着する第２端部４９６を有する。締付用つまみ５００を楽器に回動可能に装着し、該つまみには、作動を助けるハンドル５０２を含む。１対の振動セパレータ５０４を、弦セグメント４９２毎に提供し、第１装着領域５１２と第２装着領域５１４との間で演奏領域５１０を規定する。
【００８７】
図１７で最も良く説明されるように、締付用つまみ５００には、好適には、複数の弦保持部５１８ａ‐５１８ｆを備え、各弦保持部５１８は異なる半径を有する。弦保持部５１８を、つまみ５００を回動すると一緒に回転するよう構成する。好適には、各弦４９２ａ‐４９２ｆの第２端部４９６を、各弦保持部５１８ａ‐５１８ｆに１本ずつ連結する。調弦部材５００をユーザが回動すると、弦保持部５１８ａ‐５１８ｆの半径が異なるために、各弦セグメント４９２ａ‐４９２ｆに対して、各弦固有の距離、即ち締付け程度を、これは他の弦と異なる或は同じでもよいが、付与し、従って特定の張力を各対応する弦セグメント４９２ａ‐４９２ｆに印加する。好適には、弦保持部５１８ａ‐５１８ｆの半径を、調弦用つまみ５００を回動すると、関連する弦４９２ａ‐４９２ｆの張力が、他の弦４９２に対して所望する関係に従って変化するように、選択する。このようにして、弦セグメント４９２の全体の音高を、個々の弦セグメント４９２ａ‐４９２ｆ間での相対的な調弦を維持しながら、変化させることができる。
【００８８】
図１６‐図１７で図示した実施例では、弦保持部５１８の半径を含む、つまみ５００の構成を、特定の指定した特性を有する弦４９２と関連して稼働するように、特に設計する。別の実施例では、つまみ５００及び弦４９２を、ユニットとして交換／設置可能な、予め相対的に調弦して、組立てたユニットとして、提供する。より詳しくは、つまみを楽器に取外可能に設置可能にしてもよい。また、各弦４９２を楽器に取外可能に設置してもよい。
【００８９】
更なる実施例では、各弦セグメント４９２の第１端部４９４を、弦セグメント４９２を若干締付可能にする楽器の糸巻に取着する。弦セグメント４９２の第２端部４９６を、図１６及び図１７と関連して上述したような方法で、締付用つまみ５００に取着する。このように、調弦用つまみ５００によって、容易に音高が調整できる一方で、隣接する弦セグメント４９２を相対的な調弦に維持できる。加えて、かかる弦セグメントの初期調弦、及び微調弦でさえも、各弦セグメント４９２に対応する糸巻を使用して達成できる。
【００９０】
次に図１８を参照すると、楽器用弦装着装置５３０の更なる別の実施例について、示している。図示の実施例では、プーリ５３２を、軸５３４について回転するよう構成している。楽器用弦５４０の第１端部５４２を好適には、連結具５４４を介して楽器に連結する。弦５４０を、少なくとも部分的にプーリ５３２周りに巻き掛け、弦５４０の第２端部５４６を、楽器に取着する張力調整用つまみ又は糸巻５５０に連結する。好適には、振動セパレータ５５２を提供して、第１装着領域５５６と第２装着領域５５８との間で演奏領域５５４を規定する。楽器用弦５４０の第１セグメント５５７は、連結具５４４からプーリ５３２まで延在し、楽器用弦５４０の第２セグメント５５９は、プーリ５３２から糸巻５５０まで延在する。好適には、プーリ５３２には、該プーリ５３２の周縁部付近に配置する１本又は複数本の柱５６０を備える。張力調整用柱５６２を、楽器に設けるが、プーリ５３２から離隔させる。図示の実施例では、輪ゴム等のバネ部材５６４を、張力柱５６２と１つ又は複数のプーリ柱５６０双方に選択的に取着する。
【００９１】
引き続き図１８を参照すると、操作する際には、弦５４０をまず張架し、糸巻５５０によって弦５４０を締付けて、少なくとも粗く調弦する。製造上のバラツキがあるために、第１及び第２弦セグメント５５７、５５９を略同じ張力にした場合、両セグメント、完全には相対的な調弦状態にはない周波数を発する可能性がある。バネ部材をプーリ柱５６０の１本と張力調整用柱５６２とに掛けることによって、ユーザは、１弦セグメントについて張力を効果的に増大できる一方、その隣接する弦セグメントの張力を減少できる。例えば、図示した装置では、輪ゴム５６４を取付け、それにより第２弦セグメント５５９で張力を僅かに増大させるが、同時に第１弦セグメント５５７で張力を減少させる。この種の微妙な調整により、弦セグメント５５７、５５９を相対的な調弦状態にしてもよい。加えて、この装置では、弦セグメント間の張力の数学的関係が成立する。この数学的関係は、弾性部材のバネ特性とその配置に依存する。このように、一旦弦セグメント５５７、５５９を、適所に設置した弾性部材５６４を用いて、適切な相対的調弦状態にすると、たとえ糸巻５５０を制限された範囲以上に更に調整した場合でも、張力の数学的関係は維持される。そうなるとセグメント５５７、５５９の音高を、セグメント間の相対的な調弦を維持しながら、同時に変えてもよくなる。
【００９２】
図示の実施例では、張力調整用柱５６２を、容易に微調弦可能にするために、直線的に可動にしている。当然ながら、他の実施例では、張力調整用柱５６２を必ずしも直線的に可動にする必要はなく、他の構造を選択的に用いて、プーリを回転させたい方向にバネ力を付勢してもよい。また、別の実施例では、複数の調整柱を提供する。１装置では、複数の柱を略離隔して１列に設ける。別の装置では、多数の柱を提供する。また、バネ部材５６４を、多様な弾性特性を有するバネ部材の選択肢から選び、それにより弦セグメント５５７、５５９間の相対的な調弦関係をカスタマイズしてもよい。
【００９３】
次に図１９を参照すると、張力計５７０の実施例について、示している。図示した張力計５７０を、端同士を取着する第１弦セグメント５７４の端部と第２弦セグメント５７６の端部との間に設置するよう構成する。張力計５７０には、第１弦セグメント５７４の端部に取着する第１取着部分５７８を有する長尺の張力計本体５７２を含む。バネ５８０の第１端部５８２を第１取着部分５７８に取着し、該バネには第２端部５８４を有して、該端部５８４を第２弦セグメント５７６に取着する。線ガイド５９２により、第２セグメント５７６に対して張力計本体５７２の位置を安定させる。
【００９４】
引き続き図１９を参照すると、表示計５８８をバネに沿って、好適には第２端部５８４に取付ける。表示計５８８の位置を張力計本体５７２に印刷した目盛５９０と相関させることで、ユーザは弦張力を測定できる。好適には、目盛を、その演奏者に適した情報、例えば特定の弦に関する測定張力に対応する予測周波数又は楽音等に、対応させて付ける。加えて、目盛により、弦システムを全体として異なる音高キーに区分できる。
【００９５】
図１９で図示した張力計５７０等の張力計を、幾つかの上述した実施例で用いることができる。例えば、図１０と関連して述べた実施例では、張力計５７０を、１つ又は複数の連結具２５６の代わりに使用することができる。加えて、張力計を、任意の実施例の各線セグメントで張力を測定するために間置してもよい。加えて、２つの線セグメント間に間置するだけよりはむしろ、該張力計を他の場所、例えば楽器に弦を連結する箇所に、配置することもできる。
【００９６】
図示の実施例では、張力計５７０は、表示計５８８を目盛５９０の対応する印と位置合わせしたため、弦の正確な調弦に関する視覚的表示計として機能できる。  弦張力が、弦の緩み、環境要因等により変化した場合、表示計５８８と合わせた位置が変化し、張力の変化が張力計５７０で表示される。このように、ユーザは自分の楽器について、調弦装置を使うよりはむしろ、単に張力計を見ることによって、視覚的にチェックしてもよい。従って、弦の調弦を、実際に弦を弾く必要なく、チェック及び調整できる。
【００９７】
図１９と関連して上述した実施例では、弦セグメント間の連結具のところで張力計５７０を用いている。当然ながら、別の実施例では、弦楽器には、個々の弦を互いに連結しておらず、独立して調弦できる、より一般的な弦システムを有するかも知れない。そうした実施例では、張力計５７０を弦毎に提供してもよい。このように、ユーザは、調弦の速度を上げて、簡単に調弦のチェック／確認を行うために、弦毎に視覚的調弦表示計を備えられる。
【００９８】
更に別の実施例では、例えばネジ連結部上等で、目盛５９０の一部分を可動にしてもよい。このように、関連する弦を適切に調整した時点で、目盛を“較正”する、つまり目盛の一部を、表示計５８８と完全に位置合わせするよう移動させる。従って、完全に位置合わせした状態での変化が簡単に視認できるため、ユーザは一層簡単に、表示計５８８の目盛に対する移動や変動を視覚的に見付けられる。そうした移動は、弦の張力が変化したことを示しており、それは調弦の変化と一致する。弦の調弦についても、張力を変化させて再び完全に位置合わせして、簡単に達成することもできる。このように、調弦の微細な変化を、聴覚的に検出可能になる前にでも、視覚的に検出して修正できる。
【００９９】
次に図２０を参照すると、楽器用弦装着システム６００の別の実施例について、示している。図示の実施例では、弦システム６００には、長く延ばした複合弦６０２を備えており、該複合弦を、複数のピボット６０４の周りに、アンカー６０８からテンショナ６０９までの蛇行したジグザグの経路に沿って、巻き掛けている。図示の実施例では、ピボット６０４には回転プーリを備える。振動セパレータ６０６を提供し、これを弦６０２に係合させ、それにより弦６０２の振動を、各セパレータ６０６の両側で絶縁するが、弦張力は該セパレータを越えて伝達する。複合弦６０２は、演奏領域６１６の両側に位置する、第１及び第２装着領域６１０、６１２で、プーリ６０４、アンカー６０８及びテンショナ６０９と係合する。振動セパレータ６０６  により、演奏領域６１６の弦６０２部分を、装着領域６１０、６１２の弦６０２部分から、振動絶縁する。
【０１００】
引き続き図２０を参照すると、好適には、複合弦６０２には、６つの楽器用弦セグメント６２０ａ‐６２０ｆを備える。各楽器用弦セグメント６２０を、連結具６２６を介して、５つの屈曲セグメント６３０ａ‐６３０ｅの少なくとも１つと端部同士で取着する。図示の通り、各楽器用弦セグメント６２０を、演奏領域６１６を横断するよう配列し、装着領域６１０、６１２の１方で屈曲セグメント６３０に連結する。屈曲セグメント６３０をピボット６０４の周りに係合及び屈曲させて、次の楽器用セグメント６２０に装着領域６１０、６１２内で取着し、該次のセグメントが演奏領域６１６を横断する。
【０１０１】
好適な実施例では、楽器用弦セグメント６２０を、所望の音及び楽音を張設状態で出せるように、楽器用の品質を有する弦で作製する。好適には、屈曲セグメント６３０を、長手方向には極めて強度が有り、屈曲に関しては比較的柔軟な材料で作製する。好適には、屈曲セグメント６３０を、関連する楽器用セグメント６２０より、屈曲に対して柔軟にする。最も好適には、屈曲セグメント６３０は、殆ど或は全く抵抗無くプーリ６０４周りに容易に屈曲するものにする。従って、複合弦６０２での張力を、ピボット６０４周りに弦６０２を屈曲するために専用するのではなく、その代わりに、弦システム６００に沿って適当な調弦を維持するために専用する。殆ど又は全く張力が、プーリ６０４周りの屈曲材料に蓄積されないため、プーリ６０４両側で、及び複合弦６０２全体に亘り、張力を比較的一定に維持できる。
【０１０２】
最も好適には、楽器用弦セグメント６２０が、屈曲セグメント６３０より長手方向に延伸し易いようにする。このように、弦システム６００の張力を、屈曲セグメント６３０よりはむしろ、楽器用セグメント６２０を長手方向に延伸することで制御する。
【０１０３】
１実施例では、屈曲セグメント６３０を、フィラメント群を編組したもの、又はフィラメントを纏めて編織又は編成した他の構造体で作製する。本明細書において、用語“フィラメント”は、その通常の意味に従って使用される幅広い用語であって、例えば天然又は人工繊維、極細ワイヤ等の、薄くて細長の構造体を含む。フィラメント材としては、例えば、鋼鉄、アルミニウム、その他の金属及び合金、ナイロン、カーボン、アラミド又はガラス繊維等のポリマー等を、挙げることができる。フィラメント材の組合せを用いてもよい。
【０１０４】
別の実施例では、屈曲セグメントの少なくとも１つを、厚みより広い幅を有するベルトとして形成する。かかる実施例では、プーリを、屈曲し易いが、伸長し難い該幅広のベルトを収容するよう形成する。１実施例では、該ベルトには、布強化ゴム又は繊維強化ゴムを備える。別の実施例では、ベルトには、複数の薄くて細長い、布で補強したフィラメントを備える。更に別の実施例では、ベルトには、薄いリボン材を備える。なお更なる実施例では、屈曲セグメントを、単一の細長いワイヤ製とする。更に別の実施例では、屈曲セグメントを湾曲させて偏向し、それによりプーリ６０４の周りに一層容易に、抵抗を少なくして巻けるようにする。
【０１０５】
好適な実施例では、連結具６２６には、図４及び図５と関連して上述したような、ボールを連結具に嵌合する構成体を用いる。しかしながら、当然、他の構造も有利に使用して、弦セグメントの端部同士を連結してもよい。
【０１０６】
図２０で図示した弦システム６００の実施例には、６つの楽器用弦セグメント６２０を有しており、ギター等の楽器に適している。勿論、図示の実施例と関連して述べた原理を、６つ以上又は６つ以下の楽器用弦セグメントを備える弦システムを有する様々な楽器に用いることができる。
【０１０７】
更に別の実施例では、弦券張用調弦つまみを有する弦楽器では、１本又は複数本の複合弦を用いて、該複合弦各々に、楽器用弦セグメントに取着する屈曲セグメントを備えてもよい。屈曲セグメントを、調弦用つまみ周りに巻き掛けるよう配置及び構成して、楽器用セグメントを略一直線に保つ。屈曲セグメントを、調弦用つまみ周りに簡単に巻き掛けるように特に構成するため、各複合弦の調弦が、ユーザにとって一層簡単となり、楽器を調弦するのに、楽器用セグメントの弦張力について、従来程又は全く考慮せずに済む。このように、屈曲セグメントを、プーリの有無にかかわらず実施例に使用してもよい。
【０１０８】
上述した実施例のバリエーションを、幾つかの種類及び様々な弦楽器に関連して使用することができる。そうした楽器としては、６弦ギター等の一般的な楽器、又は特殊な楽器でもよい。例えば、１実施例では、ギターは、ネック部の対向する両側に張弦した演奏部分を有してもよい。１つのかかる実施例では、１個又は２個のプーリ装置（図１を参照）を、弦セグメントをネック部の両側に連絡し、それにより１本の弦の少なくとも２セグメントを演奏部分で対向して配置するように、構成する。別の実施例では、プーリ装置を、弦を両側に導き、該両側間に略螺旋配列に架けるよう構成する。
【０１０９】
上述したように、楽器用弦の固有振動周波数を、式ｆ＝（１／２Ｌ）（Ｔ／ｄ）１／２で定義する。本明細書で開示した幾つかの実施例では、隣接する弦セグメントの固有周波数を、数学的に関連させている。例えば、第１弦セグメントの固有周波数ｆ1を、式、例えばｆ２＝Ｋ１ｆ１（式中、Ｋ１は定数）に基づき、第２弦セグメントの固有周波数ｆ２と関連させてもよい。一般的に、Ｋ１については、第２弦セグメントと比較する第１弦セグメントの特性によって定義するが、該特性として、該弦セグメントを作製するのに使用した材料の密度、有効長Ｌ、張力Ｔ及び／又はバネ定数ｋ等が挙げられる。一旦この数学的関係が成立すると、例えば弦セグメントの張力Ｔを同時に増大又は減少させる等によって弦セグメントを調整することで、該セグメントの固有周波数を変化でき、なお且つセグメント固有周波数間の数学的関係を維持する可能性がある。従って、弦セグメントは、相対的に調弦された状態に保たれる。複合プーリ等の機構により、弦間で相対的に張力を比例させる関係を定義する実施例についても同じことが言える。かかる実施例では、たとえ関連する弦セグメントで張力が異なって変化しても、張力は依然として数学的比例関係に従って変化する。このように張力を比例調整することで、発する固有周波数の数学的関係を維持しながら、個々のセグメントの音高を可変できる。
【０１１０】
幾つかの実施例によれば、楽器用弦を、極めて厳しい精度に基づいて製造したワイヤで製作する。例えば、好適には、ギターの高いＥ弦を構成する弦については、呼び径を約０．００９インチ、直径公差が１％未満、より好適には０．２５％未満、最も好適には０．１％以下とする。このように、一貫した実際の弦の固有周波数を、特定の張力及び有効長で、獲得できる。例えば、ギターの高いＥ弦は、名目上３３０Ｈｚで振動する。出願者は、呼び径から±０．２５％差がある弦直径では、３２９．１７５Ｈｚ‐３３０．８２５Ｈｚで振動し、これは約１．６５ビート／秒と一致することを、突き止めた。直径公差０．１％を順守すると、０．６６ビート／秒未満となり、これは調弦する際に聞き分けできない。好適には、製造上の公差については、公称周波数からの偏差によって、ビート周波数が約２ビート／秒未満、より好適には約１．６５ビート／秒、更により好適には約１ビート／秒、最も好適には０．６６ビート／秒以下となるような公差とする。
【０１１１】
本発明について、特定の好適な実施例及び例に照らして開示したが、当業者には、本発明が、具体的に開示した実施例だけに留まらず、他の実施例及び／又は本発明の用途、自明な変更例、及びそれらと同等物にまで及ぶことは、明らかである。加えて、本発明に関して多数のバリエーションを示し、詳細に記述したが、本発明の範囲内にある他の変更例についても、本開示に基づいて、当業者にとっては容易に明白であろう。実施例に関する特定の特徴及び態様の様々なコンビネーション又はサブコンビネーションが作製され、本発明の範囲に含まれる可能性があることも考えられる。従って、当然ながら、開示した実施例の様々な特徴及び態様を、互いに組合せて、又は相互に代替して、それにより開示した本発明の種々の形態を形成することができる。例えば、図１６及び図１７で提供したような調弦用つまみを、図１５に示した実施例に類似する実施例で使用してもよい；或は、図１１と関連して記述した実施例で開示したギア歯を、図１２ａ及び図１２ｂの実施例でのような特徴を有するプーリ上に用いてもよい。更に、本明細書で述べた実施例の何れかを、図２０と関連して上述したような屈曲セグメントを用いるように構成してもよい。このように、本明細書で開示した本発明の範囲は、特定の上記で開示した実施例によって限定されず、以下のクレームの公正な解釈によってのみ定められること、を意図するものである。
【図面の簡単な説明】
【０１１２】
【図１】単一の弦を複数のセグメントに分割して成る楽器用弦装着システムの実施例を図式的に説明している。
【図２】楽器用弦装着システムの別の実施例を図式的に説明している。
【図３】１実施例に従う弦装着システムを用いたギターの１実施例に関する側面図である。
【図４】楽器用弦の１実施例について説明している。
【図５】別の弦と端同士を連結した図４の弦の一部分を説明している。
【図６】別の実施例に従う楽器用弦装着装置を図式的に説明している。
【図６ａ】更に別の実施例に従う楽器用弦装着装置について図式的に説明している。
【図７】楽器用弦装着装置の更なる実施例について図式的に説明している。
【図８】図７の実施例からの可動プーリの位置を、直線的に調整する装置の平面図である。
【図９】図８の装置の９-９線に沿った垂直断面図である。
【図１０】楽器用弦装着装置のなお更なる実施例について説明している。
【図１１】各弦部分の微調整を可能にする楽器用弦装着装置の更に別の実施例を示す。
【図１２ａ】絞り式張力調整プーリの実施例を示す。
【図１２ｂ】図１２ａの実施例の１２ｂ-１２ｂ線に沿った断面図である。
【図１３ａ】弦を微調整する構造体を有する弦装着システムの更に別の実施例を、異なる装置で示して、これを説明している。
【図１３ｂ】弦を微調整する構造体を有する弦装着システムの更に別の実施例を、異なる装置で示して、これを説明している。
【図１３ｃ】弦を微調整する構造体を有する弦装着システムの更に別の実施例を、異なる装置で示して、これを説明している。
【図１４】隣接する弦セグメントを相対的な張力で固定する、楽器用弦装着装置の別の実施例の一部について説明している。
【図１５】弦サブシステムを相対的な張力に維持する１２弦楽器用弦装着装置の実施例について説明している。
【図１６】多数の弦を同時に調整するための調弦用つまみを有する楽器用弦装着装置の実施例について説明している。
【図１７】弦を互いに異なって相対的に締付けることを示す図１６の調弦用つまみの側面図である。
【図１８】相対的な張力関係を弦セグメント間で維持する、楽器用弦装着装置の更に別の実施例の一部について説明している。
【図１９】本発明の実施例と関連して使用するよう構成した張力計の１実施例を示す。
【図２０】更に別の実施例に従う楽器用弦装着装置について図式的に説明している。
【符号の説明】
【０１１３】
３０、３５０、３７０、４２０、４９０、５３０          音楽用弦装着装置
３２、５２、１２０、１４２、３５２、４２４、５４０    弦
３４、６２、１６０、２００、２０２、２６０、２８４、３１０、３５４、３７２、４２６、５３２、６０４    プーリ
４０ａ‐４０ｆ、６４、６６、１４４、１４６、１７０ａ‐１７０ｆ、１８２、１８４、２５４ａ‐２５４ｆ、２８０ａ‐２８０ｆ、３６０、３６２、３８０、３９６、４９２ａ‐４９２ｆ、５５７、５５９、５７４、５７６、６２０ａ‐６２０ｆ            弦セグメント
５０、１００、１４０、１８０、２５０、２８８、６００  弦装着システム
５４、１５４、６０８      アンカー
５８、１６０              ピボット
６０、１５８、４００、６０９テンショナ
７０、１６２、１９２、２６４、２６６、４０２、４３６、５０４、５５２、６０６              セパレータ
７５                  成形溝
８０、１１０、１６４、１９４、２７０、４０４、４４０、５１０、５５４、６１６              演奏領域
８２、８４、１１２、１１４、１６６、１６８、１９６、１９８、２７２、２７４、４０６、４０８、４４２、４４４、５１２、５１４、５５６、５５８、６１０、６１２              装着領域
９０                  ギター
９２                  本体
９４                  ネック部
９６                  ヘッド部
１０２、１０４セパレータ部
１１６                凹部
１２２、１４８、１５２、１８６、２５６、３８２、４３０、５４４、６２６              連結具
１２６                ボール
１３０、２２４、３２２    スロット
１３２                ボール装着部
１３４、１９０、２５２、６０２            複合弦
１７２ａ‐１７２ｆ、１８０ａ‐１８０ｆ、２８０ａ〜２８０ｆ            弦部分
２１０                直動装置
２１２、５０２ハンドル
２１４                ロッド
２１６                ブラケット
２１８                ブロック
２２０                連結ロッド
２２２                ブッシュ
２８６、２９４、２９６    微調弦用部材
２９０                歯
２９２                ラッチ
３００                カム部材
３１２、３７４、３７５、４６２、４６４        プーリ部材
３２４                ボルト
３３０                弦ガイド
３３２                ナット部分
３３４                アーム
３４０                弦座
３６４                ペグ
３７８、４２７、４６６、５３４            軸
４２２                弦サブシステム
４３４                張力付与装置
４５０                音高調整システム
４５２、５００、５５０    つまみ
４５４                主調整ワイヤ
４７０                直線運動用線
５１８ａ‐５１８ｆ    弦保持部
５６０、５６２        柱
５６４                バネ部材
５７０                張力計
５８０                バネ
５８８                表示計
５９０                目盛
５９２                線ガイド
６３０ａ‐６３０ｅ    屈曲セグメント
【図１】
2009500694.tif 000003
【図２】
2009500694.tif 000004
【図３】
2009500694.tif 000005
【図４】
2009500694.tif 000006
【図５】
2009500694.tif 000007
【図６】
2009500694.tif 000008
【図６Ａ】
2009500694.tif 000009
【図７】
2009500694.tif 000010
【図８】
2009500694.tif 000011
【図９】
2009500694.tif 000012
【図１０】
2009500694.tif 000013
【図１１】
2009500694.tif 000014
【図１２Ａ】
2009500694.tif 000015
【図１２Ｂ】
2009500694.tif 000016
【図１３Ａ】
2009500694.tif 000017
【図１３Ｂ】
2009500694.tif 000018
【図１３Ｃ】
2009500694.tif 000019
【図１４】
2009500694.tif 000020
【図１５】
2009500694.tif 000021
【図１６】
2009500694.tif 000022
【図１７】
2009500694.tif 000023
【図１８】
2009500694.tif 000024
【図１９】
2009500694.tif 000025
【図２０】
2009500694.tif 000026
【国際調査報告】
2009500694.tif 000027
2009500694.tif 000028
2009500694.tif 000029